(57)【特許請求の範囲】
【請求項１】
クローズド型ドラム缶の天板部と胴体部との巻締部を解き伸ばすことで前記胴体部の高さ寸法を伸長するとともに前記天板部との結合を解除し、
これにより、正規のオープン型ドラム缶と高さ寸法が略同等の改造オープンドラム缶を製造可能とする改造オープンドラム缶製造装置において、
クローズド型ドラム缶を回転させる回転部と、
クローズド型ドラム缶の回転動作が伝達することで回転し、胴体部に対してなす角が５°〜１５°の範囲で傾けて設置され天板部と胴体部との巻締部を解き伸ばす円筒状の巻上部と、
前記巻上部を胴体部の高さ方向に沿って前記巻締部側に押圧する押圧部と、を備え、
前記巻上部を前記巻締部の下方に部分的に当接させ、前記回転部がクローズド型ドラム缶を回転させながら、前記押圧部が前記巻上部を前記胴体部と巻締部との隙間に入り込まない状態で押圧することで前記巻締部を解き伸ばし、前記胴体部の高さ寸法を伸長するとともに前記天板部との結合を解除することを特徴とする改造オープンドラム缶製造装置。
【請求項２】
クローズド型ドラム缶を載置する載置部と、
前記載置部に放射状に設置され、クローズド型ドラム缶の中心軸と回転部の回転軸とがほぼ一致する位置にクローズド型ドラム缶を誘導するガイド部を備えた回転ローラと、
前記載置部を前記回転ローラごと上昇させ、クローズド型ドラム缶の天板部を前記回転部により回転する回転体に押し付ける昇降部と、
巻上部を押圧部ごと移動させ、前記巻上部をクローズド型ドラム缶の胴体部に当接させる移動部と、
をさらに有することを特徴とする請求項１記載の改造オープンドラム缶製造装置。
【発明の詳細な説明】
【技術分野】
【０００１】
本発明は、クローズド型ドラム缶を加工して改造オープンドラム缶を製造する改造オープンドラム缶製造装置に関するものである。
【背景技術】
【０００２】
現在用いられているドラム缶には大きく分けて２種類が存在する。一方は、主に粘性の低い液体に使用するクローズド型ドラム缶１０である。このクローズド型ドラム缶１０の天板部１０ａと胴体部１０ｂとは、図４に示すように天板部１０ａの周縁部分と胴体部１０ｂの上端部分とを重ね合わせて外側に巻き締めた巻締部１２により結合している。そして、内容物の出し入れは天板部１０ａに設けられた注入口１４によって行われる。また、天板部１０ａには内容物の出し入れを容易に行うための吸気口１６が設けられている。
【０００３】
他方は、主に高粘度の液体や塗料、固形物、紛体等に使用するオープン型ドラム缶である。一般的なオープン型ドラム缶は、天板部（天蓋）と胴体部とをリング状のバンドによって固定する。そして、このリング状のバンドを緩めることによって、天板部（天蓋）を胴体部から取り外すことができる。このため、オープン型ドラム缶では胴体部の上端側が全て開口する。
【０００４】
そして、例えば下記［特許文献１］などに記載された技術を用いて、クローズド型ドラム缶の天板部１０ａを巻締部１２ごと切除し、胴体部１０ｂの切除側の端部を外側にカールすることでクローズド型ドラム缶をオープン型ドラム缶として再利用することが従来より行われている。尚、以後はクローズド型ドラム缶を加工して製造したオープン型ドラム缶を改造オープンドラム缶と記述する。
【先行技術文献】
【特許文献】
【０００５】
【特許文献１】実開昭５０−１０７５５７号公報
【発明の概要】
【発明が解決しようとする課題】
【０００６】
しかしながら、加工前のクローズド型ドラム缶と正規のオープン型ドラム缶とは高さ寸法がほぼ同等であるため、巻締部１２を切除し且つ胴体部１０ｂの切除側をカールする従来の手法により製造された改造オープンドラム缶は、高さ寸法が正規のオープン型ドラム缶よりも１０ｍｍ〜１５ｍｍ低くなる。このような高さ寸法の異なる改造オープンドラム缶と正規のオープン型ドラム缶とを混在して使用すると、例えばパレット等で縦方向に積載した場合に安定性に欠ける他、内容量に差が生じる等の様々な問題が生じる。
【０００７】
本発明は上記事情に鑑みてなされたものであり、巻締部を解き伸ばし胴体部の高さ寸法を伸長することで正規のオープン型ドラム缶と高さ寸法がほぼ同等の改造オープンドラム缶を製造可能とする改造オープンドラム缶製造装置を提供することを目的とする。
【課題を解決するための手段】
【０００８】
本発明は、
（１）クローズド型ドラム缶１０の天板部１０ａと胴体部１０ｂとの巻締部１２を解き伸ばすことで前記胴体部１０ｂの高さ寸法を伸長するとともに前記天板部１０ａとの結合を解除し、これにより、正規のオープン型ドラム缶と高さ寸法が略同等の改造オープンドラム缶を製造可能とする改造オープンドラム缶製造装置において、
クローズド型ドラム缶１０を回転させる回転部３０と、クローズド型ドラム缶１０の回転動作が伝達することで回転し、胴体部１０ｂに対してなす角が５°〜１５°の範囲で傾けて設置され天板部１０ａと胴体部１０ｂとの巻締部１２を解き伸ばす円筒状の巻上部３２と、前記巻上部３２を胴体部１０ｂの高さ方向に沿って前記巻締部１２側に押圧する押圧部３４と、を備え、
前記巻上部３２を前記巻締部１２の下方に部分的に当接させ、前記回転部３０がクローズド型ドラム缶１０を回転させながら、前記押圧部３４が前記巻上部３２を前記胴体部１０ｂと巻締部１２との隙間に入り込まない状態で押圧することで前記巻締部１２を解き伸ばし、前記胴体部１０ｂの高さ寸法を伸長するとともに前記天板部１０ａとの結合を解除することを特徴とする改造オープンドラム缶製造装置５０を提供することにより、上記課題を解決する。
（２）クローズド型ドラム缶１０を載置する載置部２４と、
前記載置部２４に放射状に設置され、クローズド型ドラム缶１０の中心軸と回転部３０の回転軸とがほぼ一致する位置にクローズド型ドラム缶１０を誘導するガイド部２７ａを備えた回転ローラ２７と、
前記載置部２４を前記回転ローラ２７ごと上昇させ、クローズド型ドラム缶１０の天板部１０ａを前記回転部３０により回転する回転体２２に押し付ける昇降部２６と、
巻上部３２を押圧部３４ごと移動させ、前記巻上部３２をクローズド型ドラム缶１０の胴体部１０ｂに当接させる移動部３６と、
をさらに有することを特徴とする上記（１）記載の改造オープンドラム缶製造装置５０を提供することにより、上記課題を解決する。
【発明の効果】
【０００９】
本発明によれば、巻締部を解き伸ばすことで胴体部の高さ寸法を伸長することができる。これにより、高さ寸法が正規のオープン型ドラム缶とほぼ同等の改造オープンドラム缶を製造することができる。
【図面の簡単な説明】
【００１０】
【図１】本発明に係る改造オープンドラム缶製造装置を示す概略構成図である。
【図２】本発明に係る改造オープンドラム缶製造装置の巻上部を説明する図である。
【図３】本発明に係る改造オープンドラム缶製造装置の解き伸ばし動作を説明する図である。
【図４】クローズド型ドラム缶の巻締部を説明する図である。
【発明を実施するための形態】
【００１１】
本発明に係る改造オープンドラム缶製造装置について図面に基づいて説明する。図１に示す本発明に係る改造オープンドラム缶製造装置５０は、クローズド型ドラム缶１０を回転させる回転部３０と、クローズド型ドラム缶１０の天板部１０ａと胴体部１０ｂとの巻締部１２を解き伸ばす巻上部３２と、巻上部３２を押圧する押圧部３４と、を有している。
【００１２】
回転部３０は、回転モータ２０と、回転モータ２０の回転動作をクローズド型ドラム缶１０に伝達する回転体２２と、クローズド型ドラム缶１０を載置する載置部２４と、載置部２４を上下させる昇降部２６と、を有している。また、載置部２４はガイド部２７ａを備えた回転ローラ２７を放射状に４つ有している。
【００１３】
尚、上記の回転部３０は本発明に係る改造オープンドラム缶製造装置５０の好適な一例であるから、回転部３０の構成はこれに限定されるものではない。例えば、回転モータ２０をクローズド型ドラム缶１０の下側（地板側）に設け地板側から回転動作を伝達しても良いし、回転モータ２０をクローズド型ドラム缶１０の側面に設け胴体部１０ｂ側から回転動作を伝達しても良い。また、昇降部２６に替えて、天板部１０ａを上方から押し付ける構造としても良いし、クローズド型ドラム缶１０を側面方向から挟持して保持する構造としても良い。さらに、回転ローラ２７に替えて、ガイド部２７ａを備えた回転板を用いても良い。
【００１４】
尚、クローズド型ドラム缶１０を回転させずに巻上部３２を巻締部１２に沿って回転させる構成では、装置規模が大きくなるため、本例に示すクローズド型ドラム缶１０を回転させる構成が好ましい。
【００１５】
改造オープンドラム缶製造装置５０を構成する巻上部３２は自由回転する金属製のローラであり、クローズド型ドラム缶１０の回転動作が伝達することで回転動作する。また、巻上部３２は、図２（ａ）に示すように胴体部１０ｂとのなす角が所定の角度θとなるよう傾けて設置される。尚、この角度θが例えば０°の場合、クローズド型ドラム缶１０の回転動作の伝達に不具合が生じ、巻上部３２が円滑に回転することができない。また、角度θが大きすぎると図２中の角度θ’が大きくなり、巻上部３２が巻締部１２から外れる可能性が高くなる。よって、巻上部３２と胴体部１０ｂとのなす角θは５°〜１５°とする。尚、図２（ｂ）は、底面側が広い略円錐台形状の巻上部の参考例である。また、上記の巻上部３２の胴体部１０ｂとの接触部分、即ち巻上部３２の底面の周縁部分にはアールや面取りを施し、胴体部１０ｂに無用な傷を付けないようにすることが好ましい。また、巻上部３２の設置個数には特に限定は無く、放射状に２個、３個、４個、５個設けても良いし、それ以上の個数設けても良い。ただし、装置規模が大きくなるため、巻上部３２の設置個数は１つとすることが特に好ましい。
【００１６】
押圧部３４は、巻上部３２を巻締部１２が解き伸びる方向、即ち胴体部１０ｂの高さ方向に沿って巻締部１２側（図１における上方向）に押圧する。押圧部３４としては、周知の油圧機構等を用いることができる。また、押圧部３４には、巻上部３２と押圧部３４とをクローズド型ドラム缶１０の方向に移動させる移動部３６が設置されている。移動部３６も周知の油圧機構等を使用することができる。尚、上記の押圧部３４、移動部３６は本発明に係る改造オープンドラム缶製造装置５０の好適な一例であるから、これらは上記の構成に限定されるものではない。
【００１７】
次に、本発明に係る改造オープンドラム缶製造装置５０の動作を説明する。先ず、クローズド型ドラム缶１０を改造オープンドラム缶製造装置５０の所定の位置に載置する。クローズド型ドラム缶１０の載置方向は天板部１０ａを上とする。このクローズド型ドラム缶１０の載置作業は作業者が行っても良いし、改造オープンドラム缶製造装置５０にドラム缶搬入装置を設け自動的に搬入する構成としても良い。
【００１８】
次に、昇降部２６が動作して載置部２４を回転ローラ２７ごと上昇させる。これにより、載置部２４に設置された回転ローラ２７のガイド部２７ａがクローズド型ドラム缶１０を適正な位置に誘導する。尚、この適正な位置とはクローズド型ドラム缶１０の中心軸と回転部３０の回転軸とはほぼ一致する位置である。そしてさらに載置部２４が上昇すると、クローズド型ドラム缶１０の天板部１０ａが回転部３０の回転体２２に押し付けられる。
【００１９】
この昇降部２６の動作と前後して、回転モータ２０が例えば６０ｒｐｍ〜８０ｒｐｍ程度の所定の回転速度で回転動作する。この回転動作は回転体２２を介してクローズド型ドラム缶１０に伝達され、これによりクローズド型ドラム缶１０が回転する。尚、載置部２４の回転ローラ２７は自由回転するため、クローズド型ドラム缶１０の回転を阻害することはない。
【００２０】
次に、移動部３６が動作して、巻上部３２を押圧部３４ごとクローズド型ドラム缶１０に近づく方向に移動させる。そして、巻上部３２が胴体部１０ｂに当接すると移動部３６はこの状態を維持する。このとき、巻上部３２はクローズド型ドラム缶１０の回転動作が伝達して回転する。
【００２１】
次に、押圧部３４が動作して巻上部３２を胴体部１０ｂの高さ方向に沿って巻締部１２側に移動させる。これにより巻上部３２が、図２（ａ）に示すように、巻締部１２の下方に当接する。次に、押圧部３４は巻上部３２を３０ｋｇｆ〜８０ｋｇｆ程度の力で巻締部１２側にさらに押圧する。巻上部３２はこの押圧動作により巻締部１２の下方を上方向、即ち巻締部１２を解き伸ばす方向に押圧する。尚、上記のように巻上部３２は円筒であるから、巻上部３２による巻締部１２の押圧箇所は部分的なものとなる。ただし、クローズド型ドラム缶１０は回転しているため、巻上部３２による巻締部１２への押圧箇所は常時移動する。この結果、巻締部１２は図３（ａ）に示すように巻締部１２に沿って徐々に解き伸ばされ、最終的に図３（ｂ）に示すように全て解き伸ばされる。尚、巻締部１２が全て解き伸ばされたクローズド型ドラム缶１０を、以後、処理済クローズド型ドラム缶と記述する。この処理済クローズド型ドラム缶の胴体部１０ｂの高さ寸法は、巻締部１２が解き伸ばされた分、約４ｃｍ〜５ｃｍ（ドラム缶全体の高さ寸法としては約２ｃｍ〜３ｃｍ）伸長する。また、巻締部１２が全て解き伸ばされることにより天板部１０ａと胴体部１０ｂとの結合も同時に解除される。
【００２２】
巻締部１２が全て解き伸ばされると、押圧部３４は巻上部３２を下方向に移動する。またこれと前後して、移動部３６は巻上部３２及び押圧部３４をクローズド型ドラム缶１０から離れる方向に移動する。次に、回転部３０の回転モータ２０が停止する。これと前後して、昇降部２６は載置部２４ごとクローズド型ドラム缶１０を下方に移動する。そして、処理済クローズド型ドラム缶の回転が停止した時点で、処理済クローズド型ドラム缶を改造オープンドラム缶製造装置５０から取り出す。これにより、改造オープンドラム缶製造装置５０によるクローズド型ドラム缶１０の巻締部１２の解き伸ばしと、天板部１０ａと胴体部１０ｂとの結合の解除が完了する。尚、処理済クローズド型ドラム缶の取り出し作業は、作業者が行っても良いし、改造オープンドラム缶製造装置５０にドラム缶搬出装置を設け自動的に取り出す構成としても良い。
【００２３】
このようにして製造された処理済クローズド型ドラム缶は、次行程において天板部１０ａの取り外しが行われる。前述のように巻締部１２が解き伸ばされることにより処理済クローズド型ドラム缶の天板部１０ａと胴体部１０ｂとの結合は既に解除しているから、天板部１０ａの取り外しは単純な作業で容易に行うことができる。尚、改造オープンドラム缶製造装置５０に天板部１０ａの取り外し機構を設置しても良い。この天板取り外し機構の例としては、例えば回転体２２が電磁石や注入口１４、吸気口１６に掛かる爪などの何らかの天板保持機構を備え、昇降部２６が処理済クローズド型ドラム缶を下げる際にこの天板保持機構が天板部１０ａを保持することで、天板部１０ａを取り外すものなどが挙げられる。
【００２４】
天板部１０ａが取り外された処理済クローズド型ドラム缶は、周知の装置により解き伸ばされた部分が所定の長さ分だけ外側にカールされ、正規のオープン型ドラム缶と高さ寸法がほぼ同等の改造オープンドラム缶となる。尚、改造オープンドラム缶製造装置５０に天板取り外し機構及び上記のカール機構を設置し、巻締部１２の解き伸ばし、天板部１０ａの取り外し、及び、カールを一つの装置で連続して行えるようにしても良い。
【００２５】
以上のように、本発明に係る改造オープンドラム缶製造装置５０によれば、天板部１０ａと胴体部１０ｂとを結合している巻締部１２を解き伸ばすことで胴体部１０ｂを伸長することができる。そして、この解き伸ばし部分を所定の長さカールすることで、正規のオープン型ドラム缶と高さ寸法がほぼ同等の改造オープンドラム缶を製造することができる。このようにして製造された改造オープンドラム缶は高さ寸法が正規のオープン型ドラム缶と同等であるため、正規のオープン型ドラム缶と同等に取り扱うことができる。このため、両者を混在して積載しても安定性が損なわれることはなく、また、内容量に差が生じることもない。さらに、正規のオープン型ドラム缶に適合した各種装置でも問題なく使用することができる。
【００２６】
また、本発明に係る改造オープンドラム缶製造装置５０は、巻締部１２を解き伸ばすことで天板部１０ａと胴体部１０ｂとの結合を解除し両者を分離する。よって、切断などの危険な作業を行うことなしに、天板部１０ａを取り外すことができる。
【００２７】
尚、前述のように本発明に係る改造オープンドラム缶製造装置５０の各部の構成、形状、動作、機構、手順等は特に上記の例に限定されるものではなく、本発明は本発明の要旨を逸脱しない範囲で変更して実施することが可能である。
【符号の説明】
【００２８】
１０    クローズド型ドラム缶
１０ａ  天板部
１０ｂ  胴体部
１２    巻締部
３０    回転部
３２    巻上部
３４    押圧部
５０    改造オープンドラム缶製造装置
【図１】
0005572130.tif 000002
【図２】
0005572130.tif 000003
【図３】
0005572130.tif 000004
【図４】
0005572130.tif 000005